(57)【要約】      （修正有）【課題】状況に応じてサイドステップの取付位置や大きさを変えるように自由度を拡大し、ホースの出し入れの際や収納時にもケースが転倒するような不都合が生じない、使い勝手の良いホースリールを提供する。【解決手段】ケース１０１の底面１０４に着脱自在となっている一対のサイドステップ２２１ａ，２２１ｂを備え、底面１０４及び該サイドステップに相互に嵌合する取付用突起２１３ａ及び取付用穴部２１４ａが形成され、相互に嵌合することによって該サイドステップが底面１０４に装着される構造とし、一方のサイドステップ２２１ａは開口部１０３の半分の面積を覆う大きさとなっており、他方のサイドステップ２２１ｂは開口部１０３の半分以上の面積を覆う大きさとする。【選択図】図２
0003145427.tif 000002
【実用新案登録請求の範囲】
【請求項１】
内部にホース巻き取りリールを収容し、底面に開口部が形成されたケースと、前記ケースの外方に延出した第１の状態と前記開口部を覆う第２の状態との間で姿勢が変化するように前記ケースの底面に着脱自在となっている一対のサイドステップと、を備え、
前記ケースの底面及び前記サイドステップに相互に嵌合する取付用突起及び取付用穴部が形成され、前記取付用突起及び前記取付用穴部が嵌合することによって前記サイドステップが前記ケースの底面に装着される構造であって、
前記一対のサイドステップの内、一方のサイドステップは前記開口部の半分の面積を覆う大きさとなっており、他方のサイドステップは前記開口部の半分以上の面積を覆う大きさとなっていることを特徴とするホースリール。
【請求項２】
前記ホース巻き取りリールを操作するハンドルは、前記他方のサイドステップと同じ方向の側面に設けることを特徴とする請求項１記載のホースリール。
【請求項３】
前記１対のサイドステップは、前記第１の状態と第２の状態の間での姿勢変化が水平面内での１８０度回転によって行われることを特徴とする請求項１または２記載のホースリール。
【請求項４】
内部にホース巻き取りリールを収容し、底面に開口部が形成されたケースと、前記ケースの底面に対して着脱自在となっている一対のサイドステップと、を備え、
前記サイドステップは、前記ケースの底面を横切り且つ前記開口部を横切った状態でケースに装着され、当該装着状態では、両端部が前記ケースの外方に延びていることを特徴とするホースリール。
【考案の詳細な説明】
【技術分野】
【０００１】
本考案は、ホースを巻き取るリールに係り、より詳しくは、ケースを備えケース内にリールを収容するホースリールに関する。
【背景技術】
【０００２】
従来から、散水用のホースを巻き取る用具としてホースリールが用いられている。
図８に従来のホースリールの斜視図を示し、図９に従来のホースリールの断面図を示す。
図８によれば、ホースリール１は前面７にホースの出入り口１２と、上面６に取っ手１１と、底面４に形成され両側面１５、１６（図示しない）の下端と近接して同形状に側方へ延出するサイドステップ２０、２０と、を備える略直方体のケース２を具備する。
【０００３】
図９に示すように、ホースリール１は、ケース２内にホース５を巻き取るリール８を収容し、一方の側面１５にリール８を操作するハンドル１０を備え、他方の側面１６に給水栓と連通する接続プラグ１３を備える。
サイドステップ２０、２０は、軸部２１、２１を介しケース２の底面側端部に回動自在に取り付けられ、ケース２の起立状態時にはケース２の安定化を図る。
【０００４】
しかしながら、従来のホースリール１は、サイドステップ２０の形状とサイズと取リ付方向とが固定されているので、使用場所の状況に対応することができず、使い勝手が良くないと言う問題があった。
また、従来のホースリール１のサイドステップ２０、２０は左右同型なので、例えばホース５の巻き取り時のように他方の側面１５に力が集中する場合は安定度が不足するという問題があった。
【考案の開示】
【考案が解決しようとする課題】
【０００５】
上記問題点を解決するための本考案の課題は、状況に応じてサイドステップの取付位置や形状や大きさを変えることができ、ホースの出し入れの際や収納時にもケースが転倒するような不都合を生じない、使い勝手の良いホースリールを提供することを目的とする。
【課題を解決するための手段】
【０００６】
上記問題を解決するための請求項１に記載の考案は、内部にホース巻き取りリール１０８を収容し、底面１０４に開口部１０３が形成されたケース１０１と、ケース１０１の外方に延出した第１の状態と開口部１０３を覆う第２の状態との間で姿勢が変化するようにケース１０１の底面１０４に着脱自在となっている一対のサイドステップ２２１と、を備え、
ケースの底面１０４及びサイドステップ２２１に相互に嵌合する取付用突起２１３及び取付用穴部２１４が形成され、取付用突起２１３及び前記取付用穴部２１４が嵌合することによって前記サイドステップ２２１がケースの底面１０４に装着される構造であって、
一対のサイドステップ２２１の内、一方のサイドステップ２２１ａは開口部１０３の半分の面積を覆う大きさとなっており、他方のサイドステップ２２１ｂは開口部１０３の半分以上の面積を覆う大きさとなっていることを特徴とする。
【０００７】
また、請求項２に記載の考案は、ホース巻き取りリール１０８を操作するハンドル１１０を他方のサイドステップ２２１ｂと同じ側面に設ける。
また、請求項３に記載の発明は、１対のサイドステップ２２１は、第１の状態と第２の状態の間での姿勢変化が水平面内での１８０度回転によって行われる。
【０００８】
また、請求項４に記載の考案は、内部にホース巻き取りリール１０８を収容し、底面１０４に開口部１０３が形成されたケース１０１と、ケースの底面１０４に対して着脱自在となっている一対のサイドステップ２２１とを備え、サイドステップ２２１は、ケースの底面１０４を横切り且つ開口部１０３を横切った状態でケース１０１に装着され、当該装着状態では、両端部がケース１０１の外方に延びている。
【考案の効果】
【０００９】
相互に嵌合する取付用突起２１３及び取付用穴部２１４を形成し、他方のサイドステップ２２１ｂは開口部１０３の半分以上の面積を覆う大きさすることによって、サイドステップ２２１のケース１０１への取付が強固になり、ホースリール１００の安定度が増す。
ホース巻き取りリール１０８を操作するハンドル１１０を拡張サイドステップ２２１ｂと同じ方向の他方の側面２１２ｂに設けることによって、ホース巻き取りの作業性が向上する。
第１の状態と第２の状態の間での姿勢変化を水平面内での１８０度回転によって行うことによって、第１の状態と第２の状態の変換を容易に行うことができる。
【００１０】
ケースの底面１０４を横切り、開口部１０３を横切った状態でケース１０１に装着され、両端部がケース１０１の外方に延びている一対の横型サイドステップ２２１ｃを備えることによって、横方向の力に対する安定性が増加し、ホース１０５の出し入れの際にもホースリール１００が転倒するような危険が無くなる。
ケース１０１の底面１０４に対して着脱自在となっている一対の横型サイドステップ２２１ｃを設けることによって、サイドステップ２２１がケース１０１の側面２１２と平行した形状から、横型サイドステップ２２１ｃが開口部１０３を横切り外部に延びる向きに設けた形状や、或いは横型サイドステップ２２１ｃに安定版を設けた形状にできるので、ホースリール１００を使用状況に対応した形状に変換することができる。
【考案を実施するための最良の形態】
【００１１】
以下、本考案の実施の形態について図を参照して説明する。各図に於いて同一の要素を有する部材には同一の符号を付し、また、説明の便宜のために必要に応じてｘｙｚ直交座標系を付した。該ｘｙｚ直交座標系は、装置を使用状態に設置したときの中心軸に添った左方向がｘ方向であり、上方がｙ方向であり、前方がｚ方向である。但し、ｘ方向は特に指定しない限り＋／−方向の選択が任意である、換言すれば特に指定しない限り要素の左右の入れ替えが任意である。
符号の内、番号の末尾にアルファベットを付した符号は、同じ番号のみの要素を更に限定したものである。数字のみの要素は、同じ数字の末尾にアルファベットを付した要素も包含するものである。
【００１２】
図１は、本考案の１実施形態に係るホースリ−ル１００の斜視図である。図２は図１の中心軸１０９を含むｘｙ面の断面図である。
図１によれば、ホースリール１００は略直方体のケース１０１と、ケース１０１の外方に延出した一対のサイドステップ２２１ａ、２２１ｂと、を備え、
ケース１０１は、前面１０７にホースの出入り口１１２と、上面１０６に取っ手１１１と、側面２１２の略中央にハンドル１１０と、底面１０４にサイドステップ２２１ａ及び拡張サイドステップ２２１ｂと、を有する。
ハンドル１１０は、ケース１０１の内部に設けられたリール１０８（図２参照）と中心軸１０９を共有し、リール１０８を操作する。符号１１６で示す網掛け部分は、拡張サイドステップ２２１ｂの拡張部分を示す。
【００１３】
図２によれば、ケース１０１は、底面１０４に開口部１０３を有し、ケース１０１内にホース１０５を巻き取るリール１０８を収容し、ハンドル１１０が設置された他方の側面２１２ｂと対向する一方の側面２１２ａに接続プラグ１１３を備える。水は給水栓（図示しない）から接続プラグ１１３及び回転自在なパイプ部材１１４を介してホース１０５へ送水される。
【００１４】
ホースリール１００は、底面の一方の側縁部２１１ａとサイドステップ頂面２２２ａとに、相互に嵌合する一方の取付用突起２１３ａ及び一方の取付用穴部２１４ａを形成し、相互に嵌合させることによって一方のサイドステップ２２１ａを−ｘ方向へ延出する。
同様に、他方の側縁部２１１ｂ及び拡張サイドステップの頂面２２２ｂに、相互に嵌合する他方の取付用突起２１３ｂと他方の取付用穴部２１４ｂとを形成し、相互に嵌合させることによって拡張サイドステップ２２１ｂをｘ方向へ延出する。
このように、サイドステップ２２１が外方に延出した第一状態を形成することによって、ケース１０１の起立状態の安定化を図る。
【００１５】
図２には、取付用突起２１３ａ、ｂを側縁部２１１ａ、ｂに設け、取付用穴部２１４ａ、ｂを（拡張）サイドステップの頂面２２２ａ、ｂに設ける例を図示したが、取付用突起２１３ａ、ｂと取付用穴部２１４ａ、ｂとのどちらかを側縁部２１１ａ，ｂに設け、どちらかをサイドステップ頂面２２２ａ、ｂに設けるかの選択は任意である。
図１、２に、リール１０８を操作するハンドル１１０をｘ方向に設ける例を示したが、前述のようにハンドル１１０を設ける方向の選択は任意である。
【００１６】
また、図２にハンドル１１０と拡張サイドステップ２２１ｂとを同じ方向、即ち他方の側面２１２ｂ方向に設ける例を示したが、夫々を異なる方向に設けることもできる。
ハンドル１１０を操作してホース１０５を巻き取る場合は、ハンドル１１０と拡張サイドステップ２２１ｂとが同じ方向に設けてある方がホースリール１００の安定性及び作業性が良いので、ハンドル１１０を拡張サイドステップ２２１ｂと同じ方向に設けることがより好ましい。
【００１７】
ハンドル１１０と拡張サイドステップ２２１ｂとを同じ方向に設ける場合は、取付用突起２１３は夫々が対応する取付用穴部２１４のみと嵌合するよう、取付用突起２１３及び取付用穴部２１４の形状及び／又は取付位置を配備することが好ましい。
ハンドル１１０をｘ方向に設けるか−ｘ方向に設けるかの選択は上記のように任意である。但し、右利きの作業者がホースリール１００の後方に位置して右手でハンドル１１０を操作する場合は、ハンドル１１０と拡張サイドステップ２２１ｂとをｘ方向に設けた方が作業性が良い。
【００１８】
ホースリール１００は、サイドステップ２２１をケース１０１の下方に収納した場合は拡張サイドステップ２２１ｂのみで起立できるよう、サイドステップ２２１と取付用突起２１３と取付用穴部２１４との形状及び位置を配備することが好ましい。
【００１９】
図３ａ〜ｄは本考案のサイドステップの着脱操作の順序を示す図である。
図３ａはホースリール１００の第２状態の底面図である。一方の取付用突起２１３ａと一方の取付用穴部２１４ａ、及び他方の取付用突起２１３ｂと他方の取付用穴部２１４ｂが嵌合している。
図３ｂは、図３ａ示した状態の夫々の取付用穴部２１４から取付用突起２１３を引き抜いて平行移動し、サイドステップ２２１ａと拡張サイドステップ２２１ｂとをケース１０１の底面１０４に並べた図である。図３ｂにおいては、底面１０４の側縁部２１１に取付用突起２１３を設け、サイドステップ２２１の頂面に取付用穴部２１４を設けた例を示したが、前述したように、取付用突起２１３と取付用穴部２１４とのどちらかを側縁部２１１に設置し、どちらかをサイドステップ頂面２２２に設置するかの選択は任意である。
【００２０】
図３ｃは、図３ｂに示した状態において、サイドステップ２２１ａと拡張サイドステップ２２１ｂとをそれぞれ１８０°回転させた図である。
図３ｄは、図３ｃに示した状態において、一方の取付用突起２１３ａと一方の取付用穴部２１４ａ、及び他方の取付用突起２１３ｂと他方の取付用穴部２１４ｂとを平行移動して嵌合した図であり、図１又は図２に示すホースリール１００の第１状態の底面図である。この操作によってホースリール１００の第２状態から第１状態へのサイドステップ２２１の着脱操作を行うことができる。
図３ａ〜ｄの操作を逆順に行うことによってホースリール１００の第１状態から第２状態へのサイドステップ２２１の着脱操作を行うことができる。
【００２１】
図４は、本考案の他の実施形態に係るホースリ−ル１００の底面図であり、図４ｂは本考案の他の実施形態に係る横型サイドステップ２２１ｃの側面図である。
本実施形態は、ケース１０１の底面１０４に対して着脱自在となっている一対の横型サイドステップ２２１ｃを備える点を特徴とする。
図４ｂによれば、横型サイドステップ２２１ｃは取付用突起２２６を有し、図４ａによれば、ケースの底面１０４に設けられたボス穴２２５に装着され、ケースの底面１０４と開口部１０３とを横切った状態でケース１０１に装着される。当該装着状態で両端部がケース１０１の外方に延びていることを特徴とする。
横型サイドステップ２２１ｃは取付方向がｘ軸に添う横向きであり、左右方向は単一の部材で構成されているので、横向きの力に対して強度と安定性を有する。
【００２２】
図５は、本考案の第３の実施形態に係るホースリ−ル１００の底面図であり、図５ｂは本考案の第３の実施形態に係る横型サイドステップ２２１ｃの側面図である。
本実施形態は、横型サイドステップ２２１ｃの両末端部にコの字型になるように安定版Ａ２２４ａを取付けた点を特徴とする。安定版Ａ２２４ａを取付けたことによって、横型サイドステップ２２１ｃの末端部分の面積が増加し、横向きの力に対して更に安定性を増す。
【００２３】
図６は、本考案の第４の実施形態に係るホースリ−ル１００の底面図であり、図６ｂは本考案の第４の実施形態に係る横型サイドステップ２２１ｃの側面図である。
本実施形態は、横型サイドステップ２２１ｃの対向する両末端部に取付けられた安定版Ｂ２２４ｂが相互に接触するまで延伸し、横型サイドステップ２２１ｃと安定版Ｂ２２４ｂとで四角環を形成せしめた点を特徴とする。四角環を形成せしめたことによって芝生のような接地面に対する安定性を増す。
【実施例１】
【００２４】
本実施例のホースリール１００は、図１に示すように、略直方体のケース１０１及び−ｘ側に延出するサイドステップ２２１ａとｘ側に延出する拡張サイドステップ２２１ｂとを備える。ケース１０１は、前面１０７にホースの出入り口１１２と、上面１０６に取っ手１１１と、ｘ側の側面２１２ｂの略中央にハンドル１１０と、を有する。
図２によれば、ケース１０１は、底面１０４に開口部１０３を有し、ケース１０１内にホース１０５を巻き取るリール１０８を収容し、−ｘ側の側面２１２ａに接続プラグ１１３を備える。
【００２５】
ホースリール１００は、底面１０４のｘ側の側縁部２１１ｂに設けた他方の取付用突起２１３ｂと拡張サイドステップ頂面２２２ｂに設けた他方の側縁部２１１ｂとを嵌合させて拡張サイドステップ２２１ｂをｘ方向へ延出し、−ｘ側の側縁部２１１ａに設けた一方の取付用突起２１３ａとサイドステップ頂面２２２ａに設けた一方の側縁部２１１ａとを嵌合させてサイドステップ２２１を−ｘ方向へ延出する。
【００２６】
図７に本考案の拡張サイドステップ２２１ｂの裏面からの斜視図を示す、符号１１６で示す網掛け部分は、拡張サイドステップ２２１ｂの拡張部分１１６を示す。
ホースリール１００は、ハンドル１１０によってケース１０１の内部に設けられたリール１０８を操作する。また、接続プラグ１１３は給水栓（図示しない）から接続プラグ１１３及び回転自在なパイプ部材１１４を介してホース１０５へ送水する。
【実施例２】
【００２７】
図４ａは、本考案の実施例２に係るホースリール１００の底面図であり、図４ｂは横型サイドステップ２２１ｃの側面図である。
図４ｂに示すように、横型サイドステップ２２１ｃにボス穴２２５と嵌合する取付用突起２２６を設け、図４ａに示すようにケース１０１の底面１０４の四隅に各一個のボス穴２２５を設ける。底面１０４の前部と後部とに各１の横型サイドステップ２２１ｃを、両端がｘ軸の両側方向に沿ってケース１０１の外側まで延びるように取付用突起２２６をボス穴２２５に挿入して装着する。
【実施例３】
【００２８】
図５ａは、本考案の実施例３に係るホースリール１００の底面図であり、図５ｂは横型サイドステップ２２１ｃの側面図である。
図５ａに示すように、実施例２で用いた横型サイドステップ２２１ｃの代わりに、両端に対向する横型サイドステップ２２１ｃの方向に安定板Ａを設けた横型サイドステップ２２１ｃを用いる。
【実施例４】
【００２９】
図６ａは、本考案の実施例４に係るホースリール１００の底面図であり、図６ｂは横型サイドステップ２２１ｃの側面図である。
図６ａに示すように、横型サイドステップ２２１ｃの対向する両端に、相互に接触するまで延伸した安定版Ｂを設ける。
なお、図５，６の実施例３、４で、一対の横型サイドステップ２２１ｃの各安定板Ａ２２４ａ若しくは安定板Ｂ２２４ｂの対角線上の安定板を２枚省略し、一方の対角線上だけの片羽安定板を付けたサイドステップを構成することもできる。
【図面の簡単な説明】
【００３０】
【図１】本考案の１実施形態に係るホースリ−ルの概略斜視図である。
【図２】図１の中心軸を含むｘｙ面の断面図である。
【図３】ａ〜ｄは本考案のサイドステップの着脱操作の順序を示す説明図である。
【図４】ａは本考案の他の実施形態に係るホースリールの底面図であり、ｂは本考案の他の実施形態に係る横型サイドステップの側面図である。
【図５】ａは本考案の第３の実施形態に係るホースリールの底面図であり、ｂは本考案の第３の実施形態に係る横型サイドステップの側面図である。
【図６】ａは本考案の第４の実施形態に係るホースリールの底面図であり、ｂは本考案の第４の実施形態に係る横型サイドステップの側面図である。
【図７】本考案の拡張サイドステップの裏面の斜視図である。
【図８】従来のホースリールの斜視図である。
【図９】従来のホースリールの断面図である。
【符号の説明】
【００３１】
１００    ホースリール
１０１    ケース
１０３    開口部
１０４    底面
１０５    ホース
１０６    上面
１０７    前面
１０８    リール
１０９    中心軸
１１０    ハンドル
１１１    取っ手
１１２    出入り口
１１３    接続プラグ
１１４    パイプ部材
１１５    上面
１１６    拡張部分
２１１    側縁部      ２１１ａ  一方の側縁部      ２１１ｂ  他方の側縁部
２１２    側面        ２１２ａ  一方の側面        ２１２ｂ  他方の側面
２１３    取付用突起  ２１３ａ  一方の取付用突起  ２１３ｂ  他方の取付用突起
２１４    取付用穴部  ２１４ａ  一方の取付用穴部  ２１４ｂ他方の取付用穴部
２２１    サイドステップ
２２１ａ  一方のサイドステップ（＝サイドステップ）
２２１ｂ  他方のサイドステップ（＝拡張サイドステップ）
２２１ｃ  横型サイドステップ
２２２    サイドステップ頂面
２２２ａ  サイドステップ頂面
２２２ｂ  拡張サイドステップ頂面
２２４    安定板      ２２４ａ  安定板Ａ          ２２４ｂ  安定板Ｂ
２２５    ボス穴
２２６    取付用突起
【図１】
0003145427.tif 000003
【図２】
0003145427.tif 000004
【図３】
0003145427.tif 000005
【図４】
0003145427.tif 000006
【図５】
0003145427.tif 000007
【図６】
0003145427.tif 000008
【図７】
0003145427.tif 000009
【図８】
0003145427.tif 000010
【図９】
0003145427.tif 000011